(57)【要約】【課題】  不要輻射防止用リングコアを構造物に固定する手段、および該不要輻射防止用リングコアを挿通する高周波電流が流れる第１の電線と近接する第２の電線が相互に電磁的、静電的に結合することを防止する手段の提供。【解決手段】  不要輻射防止用リングコア収納ケースと一体に形成したタブに嵌合孔を穿設し、シャーシに形成した爪状突起を該嵌合孔に嵌合させ、該不要輻射防止用リングコア収納ケースをシャーシに固定する。さらに、不要輻射防止用リングコアに近接する電線を係止し、前記第１の電線、および前記第２の電線を直交させるための結束部を該不要輻射防止用リングコア収納ケースと一体に形成する。【選択図】  図１
2006245160.tif 000002
【特許請求の範囲】
【請求項１】
電子機器における電線を挿通するため、円筒形の軸中心部が中空状に形成されたフェライトリングコア、および該フェライトリングコアの収納ケースをシャーシなどの構造物に固定する手段を具備することを特徴としたフェライトリングコア収納ケース。
【請求項２】
電子機器における第１の電線を挿通するため、円筒形の軸中心部が中空状に形成された該フェライトリングコア収納ケースの外面に第２の電線を固定する装置を具備することを特徴としたフェライトリングコア収納ケース。
【請求項３】
請求項２に記載のフェライトリングコア収納ケースにおいて、円筒形の該フェライトリングコア収納ケースの軸中心部を挿通する第１の電線、および該フェライトリングコア収納ケースの外面に設けた電線固定装置により固定された第２の電線が相互に直交するよう、該電線固定装置を形成したことを特徴としたフェライトリングコア収納ケース。
【発明の詳細な説明】
【技術分野】
【０００１】
円筒形の軸中心部が中空状で、該中空状の空間に電線を挿通させる構造の不要輻射防止用フェライトリングコアの収納ケースに関し、詳しくは、該不要輻射防止用フェライトリングコア収納ケースと一体に形成した取り付けタブにより、該不要輻射防止用フェライトリングコアを構造物に固定する手段、および高周波電流が流れる前記電線に近接して配設された他の電線への不要輻射妨害信号電圧の誘起を防止するための電線固定装置を、該不要輻射防止用フェライトリングコア収納ケースと一体に形成した不要輻射防止用フェライトリングコア収納ケースに関する。
【背景技術】
【０００２】
近時、電子機器の回路構成が、従来のアナログ回路方式からデジタル回路方式に移行するに伴い、デジタル回路中で扱う高次高調波の高周波成分を含むデジタル信号電圧、およびデジタル信号電流が、電子回路部品自体や配線から電磁波妨害雑音として輻射されることが問題化し、法令により電磁波妨害雑音輻射の上限を定め、厳しく規制している。電線を流れる高周波成分を含む不要輻射電流を抑圧する手段としては、特許文献１に見られるごとく、高周波電流が流れる電線の周囲を、金属酸化物の強磁性体を焼結したフェライトリングコアにより包囲し、電線内を流れる高周波電流により電線の周囲に生じる電磁波エネルギーにより、該フェライトリングコア中に渦電流を発生させ、高周波エネルギーを熱損に変換する（エディーカレントロス）ことにより、電磁波妨害信号の輻射を低減する手段が広く適用されている。
【０００３】
前記のごとく、高周波電流が流れる電線からの不要輻射を抑圧するためのフェライトリングコアは金属酸化粉末を焼成し形成されるため、数十グラム程度の電子回路部品としては相対的に大きい質量を有する。大きな質量の部品が柔軟で位置の不安定な電線の中途に装着されるため、該フェライトコアリングが組み込まれた電子機器製品の輸送中の振動や衝撃により、該フェライトリングコアが周辺の電子部品に接触し、損傷させることがあり、該フェライトリングコアを堅固な構造物に固定する必要があった。また、質量の大きなフェライトリングコアが第１の電線の中途に装着されているため該電線の通過位置が変動し、機器内の第２の電線に接近し、第２の電線と電磁的、静電的に結合し、不要輻射妨害の原因となる電流や電圧を第２の電線に誘起する問題を有していた。
【０００４】
以下、図３、および図４に基づき従来技術による不要輻射防止用フェライトリングコアにつき説明する。図３（ａ）は不要輻射防止用フェライトリングコア１１の外観斜視図を示し、円筒形の樹脂ケース１５内部には円筒形のフェライトリングコアが収納されている。該フェライトリングコアの軸中心部は中空状で、該樹脂ケース１５の両側面には電線挿通孔１２が形成されている。図３（ｂ）は不要輻射防止用フェライトリングコア１１の中心軸を貫通する電線挿通孔１２に第１の電線９を挿通させた状態を示す斜視図である。
【０００５】
図４は不要輻射防止用フェライトリングコアの分解斜視図を示す。図４中の樹脂ケース１５は円筒形状に形成され、樹脂ケース１５の両側面には電線挿通孔１２を備え、中心軸を含む面で２個のケースシェルに分割されている。等分に分割された上シェル１５ａ、および下シェル１５ｂの両シェルは、一方の直線辺を共有し、ヒンジ部１５ｃを形成している。ヒンジ部１５ｃと対向するケースシェルの他方のそれぞれの直線辺は、開口部を形成し、分割された両シェルで構成される樹脂ケース１５内へのフェライトリングコア１３の挿入用の開口部となる。      
【特許文献１】特開２０００−１７３８２７号公報
【発明の開示】
【発明が解決しようとする課題】
【０００６】
高周波電流が流れる電線からの不要輻射を抑圧するためのフェライトリングコアは金属酸化粉末を焼成し形成され、質量が大きい。大きな質量の部品が柔軟で位置の不安定な電線の中途に装着されるため、該フェライトリングコアが組み込まれた電子機器製品の輸送中の振動や衝撃により、該フェライトリングコアが周辺の電子部品と接触し、周辺の該電子部品を損傷させることがあり、該フェライトリングコアを堅固な構造物に固定する必要があった。
【０００７】
また、フェライトリングコアが装着された第１の電線に近接し配設された第２の電線が不安定に移動し、第１の電線に接近し、第２の電線と電磁的、静電的に結合することにより、第２の電線に不要輻射妨害の原因となる電流や電圧を誘起する問題を避けるために、従来は質量の大きいフェライトリングコアの外郭を粘着テープや結束部材により近傍のシャーシーフレーム、ブラケット、または印刷配線基板などの堅固な構造物に固定していた。
【課題を解決するための手段】
【０００８】
電子機器の電線を流れる高周波電流による該電線からの不要輻射妨害信号の輻射防止のために、該電線を挿通するフェライトリングコアの収納ケースに付設したタブを該収納ケースと一体に形成した固定手段によりシャーシなどの構造物に固定する。
【０００９】
電子機器における第１の電線が挿通された該フェライトコア収納ケースに第２の電線を固定する電線結束部を形成し、第１の電線、および第２の電線が並進することなく直交させるための第２の電線の結束部をフェライトコア収納ケースと一体に形成する。
【発明の効果】
【００１０】
不要輻射妨害防止を目的に、柔軟で位置の不安定な電線の中途に装着される大きな質量のフェライトリングコアをシャーシなどの構造物に固定することにより、該フェライトリングコアを組み込んだ電子機器の輸送中の振動や衝撃により、該フェライトリングコアが周辺の電子部品に接触し、損傷させることを回避することが可能となった。
【００１１】
電子機器におけるフェライトリングコアに挿通された第１の電線、および第２の電線が並進することなく、相互に直交させるために第２の電線の結束部を該フェライトコアの収納ケースの外面に一体に形成し、第２の電線を該結束部により結束することにより、第２の電線が近傍の第１の電線に接近し、第２の電線に不要輻射妨害の原因となる電流や電圧を誘起し、第２の電線が新たな不要輻射妨害信号の発生源となることを防止することが可能となった。
【発明を実施するための最良の形態】
【００１２】
図１は本発明に係る第１の実施例を示している。図１（ａ）に示す固定装置付き不要輻射防止用リングコア１の外観斜視図中の樹脂ケース２の内部には、従来技術と同様に、円筒形状に形成された樹脂ケース２の両側面に電線挿通孔４を備え、中心軸を含む面で等分に分割され、上シェル２ａ、および下シェル２ｂを形成し、樹脂ケース２の内部にフェライトリングコアを収納している。等分に分割された両ケースシェルは一方の直線辺を共有し、ヒンジ部２ｃを形成し、ヒンジ部２ｃと対向するケースシェルの他方のそれぞれの直線辺は、上下シェル係止部２ｄにより係合されている。
【００１３】
図１（ｂ）は樹脂ケース２の第１の側面を示している。下シェル２ｂの開口部周辺の下側に、取り付け用タブ３が形成され、該取り付け用タブ３には第１のシャーシ爪嵌合孔３ａが穿設されている。図１（ｃ）は樹脂ケース２の第２の側面を示している。下シェル２ｂの開口部周辺の下側に、第２のシャーシ爪嵌合孔３ｂが穿設されている。
【００１４】
図１（ｄ）は本発明の第１の実施例である固定装置付き不要輻射防止用リングコア１を取り付けるシャーシ５の平面図である。シャーシ５には円筒形状の該固定装置付き不要輻射防止用リングコア１の軸長より僅かに長い長辺寸法、および該固定装置付き不要輻射防止用リングコア１の直径より短い短辺寸法のリングコア取り付け孔５ａが穿設されている。該リングコア取り付け孔５ａの両短辺の中央には、突起状の第１のシャーシ爪５ｂ、および第２のシャーシ爪５ｃが配設されている。
【００１５】
図１（ｅ）は図１（ａ）に示す固定装置付き不要輻射防止用リングコア１をシャーシ５に固定させる過程を示す縦断面図である。固定装置付き不要輻射防止用リングコア１の樹脂ケース２をシャーシ５に穿設されたリングコア取り付け孔５ａに嵌入させ、該固定装置付き不要輻射防止用リングコア１の該樹脂ケース２の第２のケース側面２ｆに穿設された第２のシャーシ爪嵌合孔３ｂに、シャーシ５に設けられた突起状の第２のシャーシ爪５ｃを嵌合させる。
【００１６】
次に、図１（ｅ）中に示す矢印「Ａ」の方向に樹脂ケース２を押し込むと、樹脂ケース２の第１の側面２ｅの開口部周辺の下側に樹脂ケース２の外方に僅かに突出するように設けられた取り付け用タブ３が樹脂ケース２の内方に押し込まれる。さらに、樹脂ケース２を図１（ｅ）中に示す矢印「Ａ」の方向に押し込むと、該取り付け用タブ３に穿設された第１のシャーシ爪嵌合孔３ａにシャーシ５から突出した第１のシャーシ爪５ｂが嵌合すると共に、付勢された取り付け用タブ３は、樹脂ケース２の外方へ復元し、固定装置付き不要輻射防止用リングコア１は、シャーシ５に堅固に固定される。
【００１７】
次に、本発明の第２の実施例につき図２に基づき説明する。図２中の６は電線結束装置付き不要輻射防止用リングコアで、電線挿通孔８に第１の電線９が挿通している。第１の電線９はデジタル回路や高周波回路に接続され、高周波電流により、第１の電線９の周辺に不要な電磁波妨害信号を輻射する。このため、高周波電流が流れる第１の電線９の周囲を金属酸化物の強磁性体を焼結したフェライトリングコアにより包囲し、第１の電線９を流れる高周波電流により、第１の電線９の周囲に生じる電磁エネルギーを、該フェライトリングコア中の渦電流に変換し、高周波エネルギーを熱損として消費させることにより、電磁波妨害信号の輻射を低減している。
【００１８】
ここで、デジタル回路や高周波回路に接続された第１の電線９に近接して、第２の電線１０が通過する場合には、第１の電線９流れる高周波電流により第１の電線９の軸周辺に高周波磁界を生じ、該高周波磁界内を第２の電線１０が通過する場合には、第２の電線１０内に第１の電線９を流れる高周波電流と同周波数の高周波電圧が誘起され、第２の電線１０が新たな不要輻射妨害信号の発生源となる。これを回避するために高周波電流が流れる第１の電線９、および第２の電線１０が、接近して並進することを避ける必要がある。このため、堅固に保持されず、通過位置が不安定な第２の電線１０が移動し、高周波電流が流れる第１の電線９と並進することを避け、直交させるために、図２中に示すごとく、不要輻射防止用リングコアの樹脂ケース６ａの外面に電線結束部７を樹脂ケース６ａと一体に形成し、第２の電線１０を結束させることにより、第２の電線、および第１の電線９を交叉させ、さらには、交叉位置をも規定している。
【００１９】
前述のごとく、電線結束装置付き不要輻射防止用リングコア６の樹脂ケース６ａの外面に電線結束部７を樹脂ケース６ａと一体に形成することにより、第１の電線９、および第２の電線１０を直交させることが可能となり、第１の電線９に流れる高周波電流の周辺に生じる高周波磁界により、第２の電線１０内に発生する誘起電圧を極小値にとどめることが出来る。
【００２０】
また、第１の電線９、および第２の電線１０が並進することがないため、第２の電線１０，および第１の電線９間の浮遊容量を通じ、両電線間が静電結合により第２の電線１０内に高周波電圧が誘起されることを回避することが可能となる。さらには、第１の電線９，および第２の電線１０の近接点では、両電線間に高周波数における透磁率の高いフェライトリングコアが介在するため、フェライトリングコアが優れた高周波遮蔽特性を発揮し、第１の電線９内を流れる高周波電流により第２の電線１０内に高周波電圧が誘起することを防止することが出来、従って、第２の電線１０が新たな不要輻射妨信号妨害発生源になることを防止することが可能となる。
【産業上の利用可能性】
【００２１】
本発明の実施形態として、樹脂ケース内に収納された不要輻射防止用フェライトリングコア部品をシャーシに固定する手段、および該不要輻射防止用フェライトリングコアに近接する電線の通過位置を規定する手段について説明しているが、これに限定せず、外装が金属製の小型電子部品を印刷配線基板などに固定する場合、または、磁束を漏洩するトランス、および該トランスに近接して通過する電線との電磁結合防止を目的に、本発明を適用しても同様に好適である。
【図面の簡単な説明】
【００２２】
【図１】本発明の第１の実施例に係る固定装置付き不要輻射防止用リングコアの図１（ａ）は外観斜視図、図１（ｂ）、および（ｃ）は左右両側面図、図１（ｄ）は取り付け用シャーシの平面図、図１（ｅ）は縦断面図である。
【図２】本発明の第２の実施例に係る電線結束装置付き不要輻射防止用リングコアの使用例を示す外観斜視図である。
【図３】従来技術による不要輻射防止用リングコアの、図３（ａ）は外観斜視図、図３（ｂ）は使用例を示す外観斜視図である。
【図４】従来技術による不要輻射防止用リングコアの分解斜視図である。
【符号の説明】
【００２３】
１：  固定装置付き不要輻射防止用リングコア
２：  樹脂ケース
２ａ：  上シェル
２ｂ：  下シェル
２ｃ：  ヒンジ部
２ｄ：  上下シェル係止部
２ｅ：  第１のケース側面
２ｆ：  第２のケース側面
３：  取り付け用タブ
３ａ：  第１のシャーシ爪嵌合孔
３ｂ：  第２のシャーシ爪嵌合孔
４：  電線挿通孔
５：  シャーシ
５ａ：  リングコア取り付け孔
５ｂ：  第１のシャーシ爪
５ｃ：  第２のシャーシ爪
５ｄ：  補強曲げ部
６：  電線結束装置付き不要輻射防止用リングコア
６ａ：  樹脂ケース
７：  電線結束部
８：  電線挿通孔
９：  第１の電線
１０：  第２の電線
１１：  不要輻射防止用フェライトリングコア
１２：  電線挿通孔
１３：  フェライトリングコア
１４：  フェライトリングコア電線挿通孔
１５：  樹脂ケース
１５ａ：  上シェル
１５ｂ：  下シェル
１５ｃ：  ヒンジ部
【図１】
2006245160.tif 000003
【図２】
2006245160.tif 000004
【図３】
2006245160.tif 000005
【図４】
2006245160.tif 000006